Podtech/llm-jp-corpus-v4-ja_patent huggingface dataset:
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  静電チャックであって、
金属基板と、
前記金属基板上に接着剤層を介して接着される所定の厚さを有するセラミック円板と、
前記セラミック円板の厚さ方向の中央で前記セラミック円板内に埋設された平面状の電極と、
前記電極の上部で、かつ前記電極の外側端部より内側で前記セラミック円板の上面に形成され、前記セラミック円板周辺部のガスシール部の内側境界を画定する冷却ガス溝と、を具備し、
前記平面状の電極が前記冷却ガス溝より外側に延在していることを特徴とする静電チャック。
【請求項２】  請求項１に記載の静電チャックにおいて、
前記冷却ガス溝は前記セラミック円板の外周端部に沿って環状に設けられ、前記チャックは、さらに、前記冷却ガス溝の底面の複数の位置に開口されたガス供給孔と、前記チャックの中心側の前記セラミック円板の表面においても一円周上の複数の位置に開口されたガス供給孔を具備することを特徴とする静電チャック。
【請求項３】  請求項１に記載の静電チャックにおいて、
前記平面状の電極は第１電極および第２電極からなり、
前記第１電極は、
前記セラミック層の中心に設けられた円板部と、
前記円板部の一部から前記セラミック層の外周端部に向けて延在する第１延在部とからなり、
前記第２電極は、
前記第１電極の前記円板部を挟んで前記第１延在部と反対側に設けられた第２延在部と、
前記第２延在部の外側端部に連結され、前記第２電極の最外周部を構成する円形環状部からなることを特徴とする静電チャック。
【請求項４】  請求項３に記載の静電チャックにおいて、
前記第１電極は、さらに、
前記第１延在部から両側に前記円板部を囲むようにＣ字状に延在した直径の異なる所定間隔の複数の第１Ｃ形環状部からなることを特徴とする静電チャック。
【請求項５】  請求項４に記載の静電チャックにおいて、
前記第２電極は、さらに、
前記第２延在部から両側にＣ字状に延在し、前記第１電極の複数の第１Ｃ形環状部と噛み合う直径の異なる所定間隔の複数の第２Ｃ形環状部からなることを特徴とする静電チャック。
【請求項６】  静電チャックの製造方法であって、
完成セラミック層の半分の厚さを有する円板状の第１のセラミック材料成形体を用意する工程を具備し、
前記第１のセラミック材料成形体の表面に電極を形成する工程を具備し、
完成セラミック層の半分の厚さを有する円板状の第２のセラミック材料成形体を用意する工程を具備し、前記第２のセラミック材料成形体の表面に前記電極の上部位置に冷却ガス溝を有し、前記冷却ガス溝は前記第２のセラミック材料成形体周辺部のガスシール部の内側境界を画定し、
前記第２のセラミック材料成形体を前記第１のセラミック材料成形体上に積層して積層板を形成する工程を具備し、前記平面状の電極は前記積層板内で前記冷却ガス溝より外側に延在し、
前記積層板全体を焼成してセラミック層を完成させる工程を具備し、
前記完成したセラミック層を接着剤層により金属基板上に接着する工程を具備することを特徴とする静電チャックの製造方法。
【請求項７】  請求項６に記載の方法において、前記接着剤層は柔軟性を有することを特徴とする方法。
【請求項８】  静電チャックであって、
ウェハを支持するよう構成された上面を有する円板状のセラミック層を具備し、
前記セラミック層の厚さ方向の中央に位置し、前記セラミック層の上面とほぼ平行に配向された第１の平面状の電極を具備し、前記第１の平面状の電極は、前記セラミック層の中心に配置された円形部を含み、前記円形部から前記セラミック層の外周端部に向けて延在する直線部を含み、前記直線部から延在し前記円形部の中心からの半径距離が次第に増大する複数のＣ形部を含み、それぞれが円形部の中心から一定の距離を保ち、
前記第１の平面状の電極と同一平面上に画定され、前記第１の平面状の電極の直線部とＣ形部との間に画定された部分と、前記第１の平面状の電極の直線部とＣ形部とを取り囲むよう画定された外側環状部とからなる第２の平面状の電極を具備し、
前記第１の平面状の電極と前記第２の平面状の電極とが互いに物理的に接触しないことを特徴とする静電チャック。
【請求項９】  請求項８に記載の静電チャックにおいて、前記第２の平面状の電極の外側環状部は、前記円板状のセラミック層の外周端部の約１ｍｍ内側に放射状に延在することを特徴とする静電チャック。
【請求項１０】  請求項８に記載の静電チャックにおいて、前記第１の平面状の電極と前記第２の平面状の電極が、約１０〜２０μｍの厚さのタングステンからなることを特徴とする静電チャック。
【請求項１１】  請求項８に記載の静電チャックにおいて、前記第１の平面状の電極の円形部の直径は約３０ｍｍであり、前記第１の平面状の電極の複数のＣ形部、前記第１の平面状の電極の直線部、および前記第２の平面状の電極の部分は、平均約５ｍｍの幅を有することを特徴とする静電チャック。
【請求項１２】  請求項１１に記載の静電チャックにおいて、前記第１の平面状の電極の各部と前記第２の平面状の電極の各部間には約１ｍｍの隙間を保つことを特徴とする静電チャック。
【請求項１３】  請求項８に記載の静電チャックにおいて、前記第１の平面状の電極の総面積は、前記第２の平面状の電極の総面積とほとんど等しいことを特徴とする静電チャック。
【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】  ベルジアン・コーディネイテッド・コレクションズ・オブ・マイクロオーガニズムス（Belgian Coordinated Collections of Microorganisms）に受託番号LMBP5089CBとして寄託されたKRIX1という名称の細胞株。
【請求項２】  モノクローナル抗体であって、前記モノクローナル抗体が生理学的に過剰に存在する時に、第VIII因子または第VIII因子を含む２以上の因子の複合体を、前記因子または複合体のある部位に結合することによって、少なくとも65％かつ多くとも98％不活化する能力を持つモノクローナル抗体。
【請求項３】  請求項２に記載のモノクローナル抗体を産生する細胞株。
【請求項４】  モノクローナル抗体の結合部位が前記因子または複合体の生理学的相互作用に直接的には関与しない、請求項２に記載のモノクローナル抗体。
【請求項５】  請求項１または３の細胞株から得ることができるヒトモノクローナル抗体である、請求項２に記載のモノクローナル抗体。
【請求項６】  IgGクラスに属する、請求項２、請求項４または請求項５に記載のモノクローナル抗体。
【請求項７】  第VIII因子のC1ドメイン内にあるエピトープを認識することができる、請求項２または請求項４〜６のいずれか一項に記載のモノクローナル抗体。
【請求項８】  動物の意図的免疫化によって産生される、請求項２または請求項４〜７のいずれか一項に記載のモノクローナル抗体。
【請求項９】  請求項８のモノクローナル抗体から得ることができるヒト化モノクローナル抗体。
【請求項１０】  請求項２もしくは請求項４〜８のいずれか一項に記載のモノクローナル抗体または請求項９に記載のヒト化モノクローナル抗体の抗原結合性断片Fab、Fab'もしくはF(ab')2、相補性決定領域、可溶型もしくは膜固定型一本鎖可変部分、単一可変ドメイン、または誘導体。
【請求項１１】  哺乳動物の止血障害および止血障害に起因する病態を予防または処置するための医薬組成物であって、活性成分として、請求項２もしくは請求項４〜８のいずれか一項に記載のモノクローナル抗体または請求項９に記載のヒト化モノクローナル抗体またはその断片、誘導体もしくはホモログを、医薬的に許容できる担体との混合物の形で含有する医薬組成物。
【請求項１２】  治療有効量の血栓溶解剤をさらに含む、請求項１１に記載の医薬組成物。
【請求項１３】  請求項１０に記載の抗原結合性断片Fab、Fab'もしくはF(ab')2、または相補性決定領域、または可溶型もしくは膜固定型一本鎖可変部分、または単一可変ドメイン、または誘導体をコードするポリヌクレオチド。
【請求項１４】  非ヒト哺乳動物からモノクローナル抗体を取得する方法であって、a）あるタンパク質ドメインに野生型タンパク質と比較して修飾を有する部分的に機能的なタンパク質を持っている非ヒト哺乳動物を選択する工程、
b）免疫反応を誘発するために前記非ヒト哺乳動物に野生型タンパク質を投与する工程、および
c）野生型タンパク質を部分的にのみ不活化する抗体を産生する上記非ヒト哺乳動物由来のBリンパ球を選択する工程、
を含む方法。
【請求項１５】  あるタンパク質ドメインに野生型タンパク質と比較して修飾を有する部分的に機能的なタンパク質を持ちかつ野生型タンパク質を投与されたヒトの血液からモノクローナル抗体を取得する方法であって、前記ヒトの血液から野生型タンパク質を部分的にのみ不活化する抗体を産生するBリンパ球を選択する工程を含む方法。
【請求項１６】  野生型タンパク質が生化学反応のカスケードに関与するタンパク質である、請求項１４または請求項１５に記載の方法。
【請求項１７】  野生型タンパク質が止血に関与する因子または２以上の因子の複合体である、請求項１４〜１６のいずれか一項に記載の方法。
【請求項１８】  野生型タンパク質が血液の凝固カスケードに関与する因子または２以上の因子の複合体である、請求項１４〜１７のいずれか一項に記載の方法。
【請求項１９】  野生型タンパク質が第VIII因子または第VIII因子を含む複合体である、請求項１４〜１８のいずれか一項に記載の方法。
【請求項２０】  野生型タンパク質がタンパク質加水分解カスケードに関与するタンパク質である、請求項１４〜１６のいずれか一項に記載の方法。
【請求項２１】  野生型タンパク質が補体因子である、請求項１４〜１６のいずれか一項に記載の方法。
【請求項２２】  第VIII因子のC1ドメインを標的とすることによって第VIII因子の補因子活性を不活化する能力を有する、請求項２に記載のモノクローナル抗体。
【手続補正書】
【提出日】平成18年10月30日(2006.10.30)
【手続補正１】
【補正対象書類名】明細書
【補正対象項目名】特許請求の範囲
【補正方法】変更
【補正の内容】
【特許請求の範囲】
【請求項１】  a)標的を含み得るサンプルを、該サンプルの添加前に、
i)少なくとも２つは実質的に同一な空間的に分離された領域を複数含む表面、それら各領域に含まれるのが、
ii)アンカーの少なくとも二つの異なる場所、それぞれの場所で各アンカーが結合するのが、
iii)アンカーに特異的な第１部分、および該標的に特異的なプローブを含む第２部分を有する二官能性リンカー、
を含む組合せと、該標的が該組合せに結合するのに有効な条件下で接触させ、
ここで領域の少なくとも一つの場所に位置する２個以上のアンカーが、異なる標的特異性を有する異なる二官能性リンカーと結合する、
少なくとも一つの標的を検出する方法。
【請求項２】更に
該組合せと任意の結合標的を、該結合標的の一つに特異的な第１部分、およびレポーター試薬に特異的な第２部分を含む少なくとも一つの検出リンカーと接触させる
ことを含む、請求項１に記載の方法。
【請求項３】  更に
該組合せおよび任意の結合標的を、少なくとも一つの検出プローブと接触させる
ことを含む、請求項２に記載の方法。
【請求項４】  第１検出プローブが、第１の場所で組合せに結合した第１標的に結合している、
第２検出プローブが同じ場所で組合せに結合した第２標的に結合している、そして
第１および第２検出プローブを同時にまたは連続して検出する、
請求項３に記載の方法。
【請求項５】  該標的が目的の核酸に特異的なヌクレアーゼ保護フラグメントである、請求項１に記載の方法。
【請求項６】  該標的が目的の核酸に特異的なヌクレアーゼ保護フラグメントである、請求項２に記載の方法。
【請求項７】  該標的が目的の核酸に特異的なヌクレアーゼ保護フラグメントである、請求項４に記載の方法。
【請求項８】  各領域が少なくとも８個の異なるアンカーを含む、請求項１に記載の方法。
【請求項９】  １個以上の該検出リンカーを遮断した検出リンカーで希釈する、請求項２に記載の方法。
【請求項１０】  １個以上の該検出リンカーを遮断した検出リンカーで希釈する、請求項６に記載の方法。
【請求項１１】  １個以上の該検出リンカーを遮断した検出リンカーで希釈する、請求項７に記載の方法。
【請求項１２】  a)標的を含み得るサンプルを、該標的に特異的であり、結合するヌクレアーゼ保護フラグメントと接触させ、サンプルを残りの一本鎖核酸を消化させるのに有効なヌクレアーゼに曝し、次いで得られたサンプルを、
i)少なくとも２つは実質的に同一な空間的に分離された領域を複数含む表面、それら各領域に含まれるのが、
ii)アンカーの少なくとも二つの異なる場所、それぞれの場所で各アンカーが結合するのが、
iii)アンカーに特異的な第１部分、および該ヌクレアーゼ保護フラグメントに特異的なプローブを含む第２部分を有する二官能性リンカー、
を含む組合せと、該ヌクレアーゼ保護フラグメントが該組合せに結合するのに有効な条件下で接触させ、
ここで領域の第一の場所に位置する２個以上のアンカーが、異なる標的特異性を有する異なる二官能性リンカーと結合する、
b)該結合した保護フラグメントを検出する
ことを含む、少なくとも一つの核酸標的を検出する方法。
【請求項１３】  更に結合した保護フラグメントと特異的検出リンカーおよび／または検出プローブをハイブリダイズさせ、それにより該核酸の各々に対応するシグナルを発生させることを含む、請求項１２に記載の方法。
【請求項１４】  該サンプル中に第一標的が第二の標的よりもはるかに多く存在し、
そして該第一および第二の場所での異なる二官能性リンカーの数が該第一および第二標的に対応するシグナルを調節できるように微調整され、そして／または該シグナルが遮断した検出リンカーを使用して微調整される、請求項１３に記載の方法。
【請求項１５】  更に
a)該組合せと、該結合ヌクレアーゼ保護フラグメントの一つに特異的な第一部分およびレポーター試薬に特異的な第二部分を含む少なくとも１個の検出リンカーを含む任意の結合ヌクレアーゼ保護フラグメントをハイブリダイズし、
b)該検出リンカーと、シグナル伝達物体を含む該レポーター試薬を接触させ、そして
c)該シグナル伝達物体を検出する
ことを含む、請求項１２に記載の方法。
【請求項１６】  第一検出リンカーが、該第一の場所で結合した第一ヌクレアーゼ保護フラグメントと結合し、
第二検出リンカーが、同じ場所で結合した第二ヌクレアーゼ保護フラグメントと結合し、
そして、第一および第二検出リンカーを同時にまたは連続して検出する、
請求項１５に記載の方法。
【請求項１７】  該領域がチューブであり、該アンカーの場所が該チューブ内で直線状アレイで配置される、請求項１に記載の方法。
【請求項１８】  該領域がチューブであり、該アンカーの場所が該チューブ内で直線状アレイで配置される、請求項１２に記載の方法。
【請求項１９】  該標的の少なくとも１個がＤＮＡ分子であり、該標的の少なくとも１個がＲＮＡ分子である、請求項１に記載の方法。
【請求項２０】  該ヌクレアーゼ保護フラグメントの少なくとも１個がＤＮＡ分子に対して特異的であり、そして該ヌクレアーゼ保護フラグメントの少なくとも１個がＲＮＡ分子に対して特異的であるである、請求項１２に記載の方法。
【請求項２１】  標的保護フラグメントが、該サンプルと該組合せが接触する前にＰＣＲにより増幅される、請求項１２に記載の方法。
【請求項２２】  該標的を、いずれかまたは両方がプライマーを固体表面に結合させる化学修飾を含む二つのＰＣＲプライマーを使用したＰＣＲにより増幅させる、請求項２１に記載の方法。
【請求項２３】  該組合せおよび任意の結合標的を、アップコンバートされた蛍光団を含む標識プローブである標識検出プローブと接触させ、そして該検出プローブを測定することを含む、請求項１または１２に記載の方法。
【請求項２４】  該組合せおよび任意の結合保護フラグメントを、各々が該保護フラグメントの１個に特異的な部分および該標的に特異的ではない該保護フラグメント上の共通３'オーバーハンギング配列に特異的な部分を含む少なくとも二つの検出リンカーと接触させ、
該検出リンカーと、該共通配列に特異的であり、シグナル伝達物体を含むレポーター試薬と接触させ、そして
シグナル伝達物体を検出する
ことを含む、請求項６または１３に記載の方法。
【請求項２５】  該組合せが大量の該領域を含み、本方法がハイスループットである、請求項１２に記載の方法。
【請求項２６】  各領域が少なくとも８個の異なるアンカーを含む、請求項１２に記載の方法。
【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】  開口を有する容器から製品を分配するための分配システムであって、
前記開口を覆って、前記容器上に密封式に配置されるための、単体の、弾性的にフレキシブルな成形バルブアレイ構造を備え、前記バルブアレイ構造が、（１）不浸透性の膜と、（２）前記膜と一体に成形された、弾性的にフレキシブルな複数のスリットバルブとを含み、各前記バルブは、前記容器の内部の圧力が外部の圧力を所定量だけ超過したときに開口する常閉分配オリフィスを有する分配システム。
【請求項２】  前記バルブアレイ構造が、熱硬化性エラストマーから成形される、請求項１に記載の分配システム。
【請求項３】  前記バルブアレイ構造が、円形外縁を有する、請求項１に記載の分配システム。
【請求項４】  前記バルブアレイ構造が、半径方向に前記バルブより外側にあり、かつ前記バルブに外接する、前記膜の環状領域を含む、請求項３に記載の分配システム。
【請求項５】  前記バルブアレイ構造が、互いに等距離に配設された３つの前記バルブ含む、請求項１に記載の分配システム。
【請求項６】  前記バルブが、概して平面アレイで配置されており、前記容器から、概して平行な放出経路に沿って、製品を分配する、請求項１に記載の分配システム。
【請求項７】  前記バルブがすべて、同じ構成と寸法を有する、請求項１に記載の分配システム。
【請求項８】  前記バルブの少なくとも１つが、前記容器の内部の圧力が、外部の圧力を所定量だけ超過したときに閉鎖される、自動閉鎖バルブである、請求項１に記載の分配システム。
【請求項９】  前記システムが、前記容器の前記開口周辺とは別個、かつ前記容器の前記開口周辺に開放可能に装着可能な、分配クロージャである、請求項１に記載の分配システム。
【請求項１０】  前記分配システムが、（１）前記容器に装着するためのハウジングと、（２）前記バルブアレイ構造を前記ハウジング内に格納するために、前記ハウジングに係合される、リテーナとを含む、請求項９に記載の分配システム。
【請求項１１】  前記ハウジングが、それぞれが異なる１つのバルブと提携して位置合わせされた、複数の円形開口を画定する中央端面壁を含み、
前記ハウジングが、前記中央端面壁から延びる、少なくとも１つの突出部を含み、
前記バルブアレイ構造が、前記突出部の少なくとも１つを受け入れて、前記ハウジングと前記バルブアレイ構造との間にキー結合を構成するための、少なくとも１つの開口を画定し、前記ハウジング開口とバルブの前記位置合わせ提携を画定するために、前記バルブ付き前記ハウジング開口を、所定の方向に配置する、
請求項１０に記載の分配システム。
【請求項１２】  前記突出部が、前記バルブアレイを完全に貫通し、かつ前記バルブアレイを超えて延びる遠端部を有し、
前記リテーナが、前記リテーナ、前記バルブアレイ構造、および前記ハウジング間のキー結合を構成するために、前記少なくとも１つの突出部の遠端部を受け入れるための、少なくとも１つのリセスを画定している、
請求項１１に記載の分配システム。
【請求項１３】  前記クロージャハウジングが、環状チャネルを含み、
前記リテーナが、前記チャネル内にスナップ止め係合で、受け入れられるように適合された周辺部分を含む、
請求項１０に記載の分配システム。
【請求項１４】  前記リテーナが、前記バルブアレイ構造の前記膜を支持するための支持デッキを含み、
前記支持デッキが、それぞれが、前記バルブ中のそれぞれ異なるバルブと提携位置決めされた、複数の円形開口を画定し、
各前記バルブが、前記支持デッキ開口の１つの受け入れられ、かつ前記支持デッキ開口を超えて延びる部分を含む、
請求項９に記載の分配システム。
【請求項１５】  前記バルブアレイ構造が、外表面および内表面を画定する、鳩尾形断面を有する環状フランジを含み、
前記クロージャハウジングが、前記バルブアレイ構造フランジと係合する、環状の円錐台クランプ面によって囲まれた中央開口を有し、
前記リテーナが、前記バルブアレイ構造フランジの前記内表面と係合する、環状の円錐台クランプ面を有する、
請求項１０に記載の分配システム。
【請求項１６】  前記バルブアレイ構造が、遠端部を有する中央補強ポストを含み、
前記リテーナが、（１）環状壁と、（２）前記環状壁から半径方向内向きに延びる複数の支持アームと、（３）前記支持アームに支持され、かつ前記補強ポストの遠端部を受け入れる、中央リングとを含む、
請求項１０に記載の分配システム。
【請求項１７】  前記バルブアレイ構造が、中央開口を画定し、
前記リテーナが、（１）環状壁と、（２）前記環状壁から半径方向内向きに延びえる支持アームと、（３）前記支持アームから前記バルブアレイ構造の前記中央開口に延びる遠端部を有する、中央ポストとを含み、前記バルブアレイ構造と係合し、前記バルブアレイ構造を補強する、
請求項１０に記載の分配システム。
【請求項１８】  前記バルブアレイ構造が、前記分配クロージャを装着可能な容器の内部から、外向きに面するように適合された外側部を有し、
前記リテーナが、前記中央ポストの遠端部に、前記バルブアレイ構造の前記外側部に受け入れられるための、拡大頭部を含む、
請求項１７に記載の分配システム。
【請求項１９】  前記膜が一様に平面な領域を有し、各前記バルブは、（１）外部から見て凹んでいる構成を形成しているバルブヘッド部分中央壁、及び（２）前記膜の前記一様に平面な領域に向かって前記バルブヘッド部分中央壁から延びているフレキシブルなスカートを含む、
請求項１７に記載の分配システム。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】  結晶質部分及びアモルファス部分を有する飲料物容器であって、放射硬化させた又は２００℃未満で熱的に硬化させたコーティングによって表面が少なくとも部分的に覆われており、硬化した前記コーティングが、前記容器の１又は複数の前記結晶質部分の表面で減摩層を形成しているが、有意の前記容器のアモルファス部分では減摩層を形成していない、結晶質部分及びアモルファス部分を有する飲料物容器。
【請求項２】  ブロー形成された脚を有するポリエチレンテレフタレート容器の１又は複数の脚部分が、前記コーティングで覆われている、請求項１に記載の容器。
【請求項３】  コーティングされた前記表面がＵＶ硬化されている、請求項１に記載の容器。
【誤訳訂正書】
【提出日】平成17年9月14日(2005.9.14)
【誤訳訂正１】
【訂正対象書類名】明細書
【訂正対象項目名】特許請求の範囲
【訂正方法】変更
【訂正の内容】
【特許請求の範囲】
【請求項１】  あらかじめ射出されたプレフォームから熱可塑性材料でできた容器をブロー成形する回転式の装置であって、該装置は、連続回転運動を行うロータ上に取付けられた複数のブローステーション（１０）を有し、各ブローステーションが、各々がプレフォーム（１２）を受容するための２つの成形空洞（１８）を有する双空洞型（１６）を担持することができる型ホルダユニット（２０）を有し、各ブローステーションが、容器の成形を行うためにプレフォーム（１２）内に圧縮流体を噴射することができる２つのブローノズル（２４）を備えたブローブロック（２６）を有し、該ブローブロック（２６）が、２つのノズル（２４）が２つの成形空洞（１８）の主要軸（Ａ２、Ａ３）に対応して型ホルダユニット（２０）の主要軸（Ａ４）の両側に配置されるように、ブローステーションのフレームエレメント（２２）に固定されているタイプであり、
前記装置は、単空洞構成に置き替えることができ、該単空洞構成では、型ホルダユニット（２０）が、単一の成形空洞（３８）を有する単空洞型（３６）を担持し、該単一の成形空洞の軸が型ホルダユニット（２０）の主要軸（Ａ４）とほぼ合致していること、並びに、ブローブロック（２６）が、フレームエレメントへの第２の固定位置を有し、該第２の固定位置において、能動ノズルと呼ばれる、２つのノズル（２４）のうちの第１のノズルが、単空洞型（３６）の成形単一空洞（３８）の主要軸（Ａ４）に対応するように配置されること、
更に、ブロー成形中、各プレフォーム（１２）は、対応するブローノズル（２４）を貫通してプレフォームの内部に軸方向に挿し込まれる延伸ロッド（３０）によって延伸されること、ブローステーション（１０）が、フレームエレメント（２２）に対して軸方向に誘導される延伸キャリッジ（３２）を有すること、並びに、キャリッジ（３２）は、装置が双空洞構成をとるとき、各々が延伸ロッド（３０）を受容するようになっている第１および第２の固定場所を有すると共に、装置が単空洞構成をとるときにだけ、延伸ロッド（３０）を受容するのに使用される第３の固定場所を有しており、該第３の固定場所は、型ホルダユニット（２０）の主要軸（Ａ４）と一直線に並んでいることを特徴とするブロー成形装置。
【請求項２】  ブローブロック（２６）が、フレーム（２２）上の２つの固定位置間をスライドするように移動することを特徴とする、請求項１に記載のブロー成形装置。
【請求項３】  ブローステーション（１０）が、圧縮流体源から隔離されるように、受動ノズルと呼ばれる第２のノズルの作動を阻止するための手段（５０）を有することを特徴とする、請求項１または２に記載のブロー成形装置。
【請求項４】  ２つのノズル（２４）が、ブローブロック（２６）に組み込まれた分配器（４３）を通して共通源によって圧縮流体を供給され、分配器が、圧縮流体源から受動ノズルを隔離するための手段（５０）を有することを特徴とする、請求項３に記載のブロー成形装置。
【請求項５】  ノズル（２４）が、収納位置とブロー位置との間でブローブロック（２６）に対して移動可能であり、単空洞構成において、受動ノズルと呼ばれる第２のノズルが、収納位置に固定されることを特徴とする、請求項１から４のいずれか一項に記載のブロー成形装置。
【誤訳訂正２】
【訂正対象書類名】明細書
【訂正対象項目名】００１３
【訂正方法】変更
【訂正の内容】
【００１３】
−  ブロー成形中に、各プレフォームが、対応するブローノズルを通して、プレフォームの内側に軸方向に挿し込まれた延伸ロッドによって延伸される。ブローステーションは、フレームのエレメント上に軸方向にガイドされる延伸キャリッジを有する。キャリッジは、各々が、装置が双空洞構成にある場合には、延伸ロッドを受容するための第１の固定場所および第２の固定場所を有し、装置が単空洞構成に置かれた場合には、もっぱら延伸ロッドを受容するために使用される第３の固定場所を有し、前記第３の固定場所は、型ホルダユニットの主要軸と一直線に並ぶ。
【誤訳訂正３】
【訂正対象書類名】明細書
【訂正対象項目名】００２３
【訂正方法】変更
【訂正の内容】
【００２３】
さらに、ブローステーションは、軸Ａ２およびＡ３に沿って配置され、各々がノズル２４の１つを通してスライドすることができる、２本の延伸ロッド３０を備える。ロッド３０の上端は、フレーム２２に対して軸方向にスライドし、延伸ジャッキ３４によって制御されるキャリッジ３２に、取外し可能となるように固定される。ブロー成形中、延伸ジャッキ３４は、キャリッジ３２の下降を引き起こし、その結果、ロッド３０の下端が、このプレフォームの軸方向延伸を制御するために対応するプレフォーム１２の内側に挿し込まれる。
【誤訳訂正４】
【訂正対象書類名】明細書
【訂正対象項目名】００３３
【訂正方法】変更
【訂正の内容】
【００３３】
本発明の他の態様によれば、キャリッジ３２は、軸Ａ４上に配置される場所に沿って、延伸ロッド３０を受容するために第３の固定手段を有することがわかる。したがって、単空洞構成では、２本のロッドを第三の場所に配置される単一ロッドに置き換えるために、双空洞構成において使用される２本のロッドを取外すように構成される。こうして、このロッドは、能動ノズルを通して軸Ａ４に沿って延在する。この配置によれば、ブローステーション１０の一方の構成から他方の構成に移行させる場合に、キャリッジ３２も延伸ジャッキ３４も移動させる必要がない。
【誤訳訂正５】
【訂正対象書類名】明細書
【訂正対象項目名】００３４
【訂正方法】変更
【訂正の内容】
【００３４】
したがって、本発明によれば、単空洞型をともなう、または双空洞型をともなう装置を使用することが容易になる。場合によっては、異なる長さの延伸ロッド以外には、型以外に特定の部品は必要ない。したがって、構成の変更は、柔軟なダクトの選択に配慮すれば、装置の種々の回路に接続する種々の圧縮空気によるダクトを切断する必要なく、ブローブロックを単に移動するだけで行うことができる。
【誤訳訂正書】
【提出日】平成17年9月16日(2005.9.16)
【誤訳訂正１】
【訂正対象書類名】明細書
【訂正対象項目名】請求項１０
【訂正方法】変更
【訂正の内容】
【請求項１０】
基材を被覆する方法であって、
ａ）基材を請求項１〜６のいずれか１項に記載の組成物に接触させること、
ｂ）当該組成物を硬化させること、
を含む方法。
【誤訳訂正２】
【訂正対象書類名】明細書
【訂正対象項目名】０００３
【訂正方法】変更
【訂正の内容】
【０００３】
タイヤおよび車輪（例えばフォークリフトのタイヤ、ローラースケートおよびローラーブレードの車輪）、ランニングシューズ、ブレーキダイヤフラム、雪掻きブレード、穀粒用バケツ、ドリリングパイプねじプロテクター、穀粒用シュートおよび石炭用シュート、分級機のシュー、水封、車輪ショック(wheel shock)、ボウリングボールカバーストック(bowling ball cover stock)、軸継手、シート製品、ロッドストック、採鉱スクリーン(mining screens)、コンベヤベルト、被覆コンベヤベルト、ギヤ、パイプラインリグ、ボートのフェンダー、バンプライナー(bump liner)、ヘリコプター用ブレードスリーブ、バンパーパッド、打抜パッド（紙箱産業）、製鋼工場および製紙工場のための大型ローラー、複写機のロール、封入ゲートバルブ、封入トランスポンダー（家畜用タグ）、封入コンクリートミキサー用ブレード、駆動ベルト、デッドブローハンマー(dead blow hammer)、スプロケット、オーバーリング(overring)、クレーン用ショックアブソーバー、消音パッド、注封材料を含む広範な用途に、および自動車のエンジンルームなどの高温環境で使用されるコーティングおよび封入部品に、注型エラストマーを使用してもよい。ポリウレタン注型エラストマーは、概して、ポリイソシアネート、ポリオール、およびしばしば連鎖延長剤などの原材料を、離型剤が被覆されている型の中で接触させることによって製造され、この接触させた材料を硬化させてエラストマー性ポリウレタン断片を形成させる。
【誤訳訂正３】
【訂正対象書類名】明細書
【訂正対象項目名】００２２
【訂正方法】変更
【訂正の内容】
【００２２】
本発明のポリウレタンエラストマーを従来のワンショット法によって調製してもよい。このような方法では、すべての反応体を併せ、次に、型に注ぐか、または型に注入する。次に、当該反応体を反応させて、硬化された固まりを形成させる。当該反応混合物または構成成分を適切な型に入れる前に、それらのガス抜きをするのが好ましい。概して、型は、硬化された固まりが型から取り出せるように離型化合物で被覆されている。このような離型化合物は当該技術分野において周知である。もう１つの態様においては、本発明の調合物を基材と接触させて、当該基板を当該調合物で被覆または当該調合物中に封入し、次に被覆または封入された基材を当該調合物が硬化するような条件に付す。基材を封入する態様においては、封入されるべき基材を型または箱の中に入れて望まれる位置に保持し、当該調合物を型または箱の中に導入して基材を取り囲ませ、そして当該調合物を硬化条件に付す。ポリウレタンエラストマーのコーティングまたは封入剤によって保護することができるいずれの基材をも使用してもよい。このような基材の例には、プラスチック、金属、電気機器、コンピュータチップが含まれる。好ましいプラスチックには、ＡＢＳゴム、ポリウレタン、ポリアミド、ナイロン、ポリオレフィン、およびポリカーボネートが含まれる。好ましい金属には、アルミニウムが含まれる。本発明のエラストマーは、15℃またはそれ以上、より好ましくは20℃またはそれ以上、もっとも好ましくは25℃またはそれ以上の温度で形成させてもよい。好ましくは、当該エラストマーを、100℃またはそれ未満、より好ましくは40℃またはそれ未満の温度で形成させる。本発明のエラストマーは、周囲温度または周囲温度付近で形成させるのが好ましい。
【手続補正書】
【提出日】平成18年9月13日(2006.9.13)
【手続補正１】
【補正対象書類名】明細書
【補正対象項目名】特許請求の範囲
【補正方法】変更
【補正の内容】
【特許請求の範囲】
【請求項１】  硬化性エポキシ変性芳香族ビニル共役ジエンブロックコポリマー９０〜１００質量パーセント、エポキシ樹脂０〜１０質量％まで、及びエポキシ硬化剤の有効量、を含有し、前記コポリマー及びエポキシ樹脂の質量パーセントが硬化剤を除くエポキシ含有材料の質量に対してである、樹脂組成物、を含む電子回路デバイス。
【請求項２】  前記エポキシ樹脂が脂肪族または脂環式エポキシを含む、請求項１に記載の電子回路デバイス。
【請求項３】  前記エポキシ樹脂が芳香族エポキシを含む、請求項１に記載の電子回路デバイス。
【請求項４】  エポキシ変性芳香族ビニル共役ジエンブロックコポリマー９０〜１００質量パーセント、任意にエポキシ樹脂、及びエポキシ硬化剤、を含有し、前記コポリマー及びエポキシ樹脂の質量パーセントが硬化剤を除くエポキシ含有材料の質量に対してである、硬化性樹脂組成物、を提供する工程、
前記樹脂組成物を接着剤、カバーコート、または封入剤として物品中に混入する工程、及び
前記硬化性樹脂組成物を熱及びＵＶ放射硬化の一方または両方にかける工程
を含む、電子接着剤、カバーコート、または封入剤の使用方法。
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
空気で前眼房を加圧しない、白内障水晶体の除去処理とレンズ置換処理の間、眼の前部水晶体嚢の可視化を高めるための組成物を製造するためのトリパンブルーの使用であって、該組成物がトリパンブルー粉末と眼にとって許容できる溶液を含み、点眼用であるようなトリパンブルーの使用。
【請求項２】
該組成物が２つの部分として提供され、第1の部分はトリパンブルーの粉末を含み、第2の部分は、眼に滴下するための組成物とするためにトリパンブルーと混合される目にとって許容できる溶液を含む、請求項１に記載の使用。
【請求項３】
該組成物が、乾燥トリパンブルーを含む第１室ユニットと目にとって許容できる溶液を含む第２室ユニットとからなる２室形状ユニット内で使用の都度製造され、第１室ユニットは開くことができる仕切りによって第２室ユニットから分離されている、請求項１に記載の使用。
【請求項４】
動物（ヒトを除く）の前部水晶体嚢を可視化するための、トリパンブルーを目にとって許容できる溶媒に溶解したトリパンブルー溶液の使用であって、前眼房を空気で加圧せずに、前部水晶体嚢を可視化するために前眼房にトリパンブルー溶液を滴下し、続いて嚢切開、水晶体除去及び眼内レンズでの置換をすることを含む、トリパンブルー溶液の使用。
【請求項５】
粘弾性物質を前眼房に添加し、続いてトリパンブルーを導入することからなる請求項４による使用。
【請求項６】
嚢切開処置のあいだ前部水晶体嚢を可視化するための、0.05%/w/w〜3%/w/wのトリパンブルーを含むトリパンブルー溶液の請求項５による使用であって、前眼房を粘弾性物質で満たし、粘弾性物質の下に、前部水晶体嚢を染色するに充分な時間0.05%/w/w〜3%/w/wのトリパンブルーを含むトリパンブルー溶液を導入し、前眼房から過剰のトリパンブルーおよび粘弾性物質を除去し、粘弾性物質を前嚢に再導入し、その後、嚢切開（capsulorhexis）、水晶体除去および眼球内レンズでの置換を行うことを含む使用。
【請求項７】
前眼房を粘弾性物質で満たし、粘弾性物質の下にトリパンブルー溶液を前部水晶体嚢を染色するに充分な時間導入し、過剰のトリパンブルーおよび粘弾性物質を除去し、粘弾性物質を前嚢に再導入し、その後、嚢切開（capsulorhexis）、水晶体除去および眼球内レンズでの置換を行うことを含む、白内障治療のための0.05%/w/w〜3%/w/wのトリパンブルーを含む請求項５によるトリパンブルー溶液の使用。
【請求項８】
前部水晶体嚢からトリパンブルーが漏れるのを最小限にするために、水晶体嚢上には粘性が小さめの粘性物質を、眼の瞳孔縁には粘性の大きめの粘性物質を導入する、粘度の異なる粘弾性物質を眼に導入する、請求項５による使用。
【請求項９】
動物の前部水晶体嚢を可視化するための組成物であって、トリパンブルーを目にとって許容できる溶媒に溶解したトリパンブルー溶液を含み、前眼房を空気で加圧せずに、前部水晶体嚢を可視化するために前眼房にトリパンブルー溶液を滴下し、続いて嚢切開、水晶体除去及び眼内レンズでの置換をすることを含む方法に使用する組成物。
【請求項１０】
粘弾性物質を前眼房に添加し、続いてトリパンブルーを導入することからなる方法に使用する請求項９に記載の組成物。
【請求項１１】
嚢切開処置のあいだ前部水晶体嚢を可視化するための、0.05%/w/w〜3%/w/wのトリパンブルー溶液を含む組成物であって、前眼房を粘弾性物質で満たし、粘弾性物質の下に、前部水晶体嚢を染色するに充分な時間0.05%/w/w〜3%/w/wのトリパンブルー溶液を導入し、前眼房から過剰のトリパンブルーおよび粘弾性物質を除去し、粘弾性物質を前嚢に再導入し、その後、嚢切開（capsulorhexis）、水晶体除去および眼球内レンズでの置換を行う方法に使用する組成物。
【請求項１２】
前眼房を粘弾性物質で満たし、粘弾性物質の下にトリパンブルー溶液を前部水晶体嚢を染色するに充分な時間導入し、過剰のトリパンブルーおよび粘弾性物質を除去し、粘弾性物質を前嚢に再導入し、その後、嚢切開（capsulorhexis）、水晶体除去および眼球内レンズでの置換を行う方法に使用する、白内障治療のための0.05%/w/w〜3%/w/wのトリパンブルー溶液を含む組成物。
【請求項１３】
前部水晶体嚢からトリパンブルーが漏れるのを最小限にするために、水晶体嚢上には粘性が小さめの粘性物質を、眼の瞳孔縁には粘性の大きめの粘性物質を導入する、粘度の異なる粘弾性物質を眼に導入する方法に使用する請求項１０に記載の組成物。
【手続補正書】
【提出日】平成18年10月30日(2006.10.30)
【手続補正１】
【補正対象書類名】特許請求の範囲
【補正対象項目名】請求項１９
【補正方法】変更
【補正の内容】
【請求項１９】
Ｒ３とＲ４、Ｒ５とＲ６、Ｒ７とＲ８、Ｒ９とＲ１０、及び／又はＲ１１とＲ１２は、それら両方が結合する環の炭素原子と共に、Ｃ＝Ｓ基又は以下の基：
【化６】
2006525980.tif 000001
（式中、Ｘ’の両方は、Ｏ又はＳであり、及びＹはＣ１−３アルキレン基である）
を形成する、請求項１８に記載の化合物。
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
配列番号２の残基３０から１６２に対して少なくとも７０％の配列同一性を有するＩＬ−２１ポリペプチド。
【請求項２】
配列番号２の残基３０から１６２に対して少なくとも８０％の配列同一性を有する、請求項１に記載のＩＬ−２１ポリペプチド。
【請求項３】
配列番号２の残基３０から１６２に対して少なくとも９０％の配列同一性を有する、請求項２に記載のＩＬ−２１ポリペプチド。
【請求項４】
配列番号２の残基３０から１６２に対して少なくとも９５％の配列同一性を有する、請求項３に記載のＩＬ−２１ポリペプチド。
【請求項５】
配列番号２の残基３０から１６２の配列を有する、請求項４に記載のＩＬ−２１ポリペプチド。
【請求項６】
治療における使用のための請求項１ないし５の何れか一に記載のＩＬ−２１ポリペプチド。
【請求項７】
請求項１ないし６の何れか一に記載のＩＬ−２１ポリペプチドを含んでなる薬剤組成物。
【請求項８】
請求項１ないし６の何れか一に記載のペプチドをコードする単離した核酸。
【請求項９】
請求項８に記載の核酸コンストラクトを含んでなるベクター。
【請求項１０】
請求項８に記載の核酸コンストラクト又は請求項９に記載のベクターを含んでなる宿主細胞。
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
low-k誘電体層上に二酸化シリコン層を形成することにより、前記low-k誘電体材料を有する誘電体層にマルチ層スタックを形成し、
前記二酸化シリコン層を形成する間にシリコンリッチオキシナイトライド層を形成し、これにより、前記low-k誘電体層からの反射光を低減するよう前記マルチ層スタックの少なくとも１つの光学特性を調整する、方法。
【請求項２】
前記二酸化シリコン層はシランから蒸着される、請求項１記載の方法。
【請求項３】
前記シリコンリッチオキシナイトライド層は、前記二酸化シリコン層の形成後に蒸着雰囲気を変えることにより形成される、請求項１記載の方法。
【請求項４】
前記誘電体層に形成される前記二酸化シリコン層の厚みは、約２０−１２０ｎｍの範囲内である、請求項１記載の方法。
【請求項５】
前記シリコンリッチオキシナイトライド層の厚みは、約３０−９０ｎｍの範囲内である、請求項１記載の方法。
【請求項６】
前記光学特性は前記シリコンリッチオキシナイトライド層のシリコン量を変えることにより調整される、請求項１記載の方法。
【請求項７】
前記シリコン量は蒸着雰囲気においてシラン／窒素酸化物（Ｎ２Ｏ）の比率を調整することにより変えられる、請求項６記載の方法。
【請求項８】
前記シリコンリッチオキシナイトライド層の表面領域において、窒素欠乏の保護層を形成することを更に有する、請求項１記載の方法。
【請求項９】
前記保護層は窒素酸化物（Ｎ２Ｏ）のプラズマ環境へ露光することにより形成される、請求項８記載の方法。
【請求項１０】
前記窒素酸化物（Ｎ２Ｏ）のプラズマ環境は、前記シリコンリッチオキシナイトライド層を蒸着する間に用いられるシランの供給を中止することにより作られる、請求項９記載の方法。
【請求項１１】
前記保護層の厚みは約１−５ｎｍの範囲内である、請求項８記載の方法。
【請求項１２】
前記シリコンリッチオキシナイトライド層上にレジストマスクを形成するステップを更に含む、請求項１記載の方法。
【請求項１３】
前記誘電体層に凹部を形成するために、前記レジストマスクを用いて前記誘電体層をパターニングするステップを更に有する、請求項１２記載の方法。
【請求項１４】
low-k誘電体層上に二酸化シリコン層を形成することにより、前記low-k誘電体材料を有する誘電体層上にマルチ層スタックを形成し、
前記二酸化シリコン層を形成する間にシリコンリッチオキシナイトライド層を形成し、これにより、前記low-k誘電体層からの反射光を低減するよう前記マルチ層スタックの少なくとも１つの光学特性を調整し、
前記シリコンリッチオキシナイトライド層にレジストマスクを形成し、
前記誘電体層に凹部を形成するために、前記レジストマスクを用いて前記誘電体層をパターニングし、
前記凹部を金属で埋め、
化学機械的研磨により余分な金属及び前記シリコンリッチオキシナイトライド層を除去し、
化学機械的研磨の間に前記二酸化シリコンベースの層の厚みを薄くし、
約５−２０ｎｍの厚みにまで研磨する、
方法。
【請求項１５】
low-k誘電体材料に金属領域を形成する方法であって、
プラズマ環境において、前記二酸化シリコンベースのマルチ層の光学特性を制御する一方で、前記low-k誘電体材料を含む層上に、二酸化シリコンベースのマルチ層を蒸着し、
凹部を形成し、前記マルチ層は特定の波長に対する反射光を低減するものであり、
前記凹部を金属で埋め、
化学機械的研磨により余分な金属及び前記マルチ層の一部を除去する、
low-k誘電体材料に金属領域を形成する方法。
【請求項１６】
前記二酸化シリコンベースのマルチ層が少なくとも部分的にシランから蒸着される、請求項１４又は１５記載の方法。
【請求項１７】
シリコンリッチオキシナイトライド層が、前記二酸化シリコンベースのマルチ層を形成する間に蒸着雰囲気を変えることにより、マルチ層に形成される、請求項１４記載の方法。
【請求項１８】
前記シリコンリッチオキシナイトライド層の厚みが、約３０−９０ｎｍの範囲内である、請求項１４記載の方法。
【請求項１９】
前記光学特性が前記シリコンリッチオキシナイトライド層のシリコン量を変えることにより調整される、請求項１７記載の方法。
【請求項２０】
前記マルチ層は、厚みが約２０−１２０ｎｍの範囲内であって前記誘電体層に形成される二酸化シリコン層を含むものであり、
前記凹部はフォトリソグラフィにより形成される、
low-k誘電体材料に金属領域を形成する、請求項１４記載の方法。
【請求項２１】
前記シリコンリッチオキシナイトライド層は、前記二酸化シリコンベースのマルチ層の形成後に蒸着雰囲気を変えることにより形成される、請求項２０記載の方法。
【請求項２２】
前記二酸化シリコンベースのマルチ層を形成する間に蒸着雰囲気を変えることにより、厚みが約３０−９０ｎｍの範囲内であるシリコンリッチオキシナイトライド層が前記マルチ層に形成されるものであり、
前記凹部はフォトリソグラフィにより形成される、
low-k誘電体材料に金属領域を形成する請求項１４記載の方法。
【請求項２３】
前記光学特性が前記シリコンリッチオキシナイトライド層のシリコン量を変えることにより調整される、請求項２０又は２２記載の方法。
【請求項２４】
前記シリコン量は蒸着雰囲気においてシラン／窒素酸化物（Ｎ２Ｏ）の比率を調整することにより変えられる、請求項２３記載の方法。
【請求項２５】
low-k誘電体材料に金属領域を形成する方法であって、
プラズマ環境において、前記二酸化シリコンベースのマルチ層の光学特性を制御する一方で、前記low-k誘電体材料を含む層上に、二酸化シリコンベースのマルチ層を蒸着し、シリコンリッチオキシナイトライド層が前記マルチ層に形成されるものであり、
前記二酸化シリコンベースのマルチ層の表面領域において、窒素欠乏の保護層を形成し、
フォトリソグラフィにより凹部を形成し、前記マルチ層は特定の波長に対する反射光を低減するものであり、
前記凹部を金属で埋め、
化学機械的研磨により余分な金属及び少なくとも前記保護層および前記シリコンリッチオキシナイトライド層の１つを除去し、前記二酸化シリコンベースのマルチ層の厚みは、前記化学機械的研磨プロセスの間に、約５−２０ｎｍにまで薄くされる、
low-k誘電体材料に金属領域を形成する方法。
【請求項２６】
前記保護層の厚みは約１−５ｎｍの範囲内である、請求項２５記載の方法。
【請求項２７】
厚みが薄くされた前記二酸化シリコンベースのマルチ層は、二酸化シリコンを含む、請求項２５に記載の方法。
【手続補正書】
【提出日】平成18年10月30日(2006.10.30)
【手続補正１】
【補正対象書類名】明細書
【補正対象項目名】０２８７
【補正方法】変更
【補正の内容】
【０２８７】
しかし、ＡＭＩＧＯの発現は有髄繊維路のみに限定されない。例えば、海馬では、透明層のＣＡ３領域の無髄繊維路は、抗ＣＮＰａｓｅ抗体とミエリン塩基性タンパク質（ミエリン塩基性タンパク質のデータは示さない）に陰性であったが、抗ＡＭＩＧＯ抗体では、明確に染色された（図１９、パネルＡおよびＢ）。冠状断面の染色は、ＣＡ３領域の透明層に限定され、錐体細胞の先端樹状突起の基底部により厳密に局在していた（図１８）。抗ＡＭＩＧＯ抗体は、樹状突起を染色したのではなく、先端樹状突起の基底部の周辺領域を染色したようである。矢状断面では、ＡＭＩＧＯ染色はわずかに繊維状に見えた（図２０、パネルｃおよびｄ）。海馬におけるＡＭＩＧＯ染色の局在性および構造は、苔状線維に見られるものを連想させる。苔状線維は顆粒細胞の軸索であり、歯状回からＣＡ３領域の透明層まで達して、そこで錐体細胞の先端樹状突起とシナプスを形成する。苔状線維は抗ニューロフィラメント抗体で非常に強く染色されることが報告されている（Huber et al., 1985）。本発明者らが行った海馬の抗ＮＦ−Ｍ染色の結果は、抗ＡＭＩＧＯ染色の結果と非常に類似しており、このことは、ＡＭＩＧＯが苔状線維またはそれと密接に関連する構造に局在するという解釈を裏付ける。一方、そのような構造は、ＣＡ３領域の介在ニューロンの軸索であってもよく、ＣＡ３領域の介在ニューロンの軸索は、透明層の苔状線維に沿って伸長することが報告されている（Vida and Frotscher, 2000）。
【手続補正２】
【補正対象書類名】明細書
【補正対象項目名】０２８８
【補正方法】変更
【補正の内容】
【０２８８】
大脳皮質では、ＡＭＩＧＯ免疫染色は、抗ＣＮＰａｓｅ抗体および抗ＮＦ−Ｍ抗体にも免疫反応性である特定の領域のみで見られた（図１８）。用いた全３種の抗体（ＡＭＩＧＯ、ＣＮＰａｓｅおよびＮＦ−Ｍ）に対する皮質の染色は、いずれも拡散していて不明瞭であり、この染色結果は有髄軸索に関連する。同時に、ＡＭＩＧＯの染色が皮質錐体細胞の先端樹状突起の基底部に見られるが、興味深いことに、全ての先端樹状突起がＡＭＩＧＯ免疫反応性であるわけではない。抗ＮＦ−Ｍ染色も、先端樹状突起に見られたが、抗ＮＦ−Ｍ染色は、錐体細胞の細胞体および樹状突起の基底部にも見られた（図２１）。
【手続補正３】
【補正対象書類名】明細書
【補正対象項目名】０２９０
【補正方法】変更
【補正の内容】
【０２９０】
白質および顆粒細胞層の有髄軸索において、抗ＮＦ−Ｍ抗体に対して見られたのと同様の強いＡＭＩＧＯ染色が見られた。白質で最も強い染色が見られたのは小脳の中心部であり、数珠を模した構造が染色された（図２２、パネルａおよびｂ）。
【手続補正４】
【補正対象書類名】明細書
【補正対象項目名】０２９１
【補正方法】変更
【補正の内容】
【０２９１】
小脳の皮質領域では、プルキンエ細胞層の両側にＡＭＩＧＯ染色が見られた。プルキンエ細胞体の周辺のバスケット状構造はＡＭＩＧＯに対して免疫反応性であり、この構造はバスケット細胞軸索により形成される（図２２、パネルａおよびｂ）。
【手続補正５】
【補正対象書類名】明細書
【補正対象項目名】０２９２
【補正方法】変更
【補正の内容】
【０２９２】
小脳の分子層では、ＡＭＩＧＯ染色は、プルキンエ細胞層に沿って走る繊維に見られる（図２２）。この繊維の少なくともいくつかはバスケット細胞軸索であるが、他の軸索のいくつかにも、抗ＮＦ−Ｍ染色と比較して強いＡＭＩＧＯ免疫染色が見られたため、ＡＭＩＧＯ陽性である（データは示さない）。
【手続補正６】
【補正対象書類名】明細書
【補正対象項目名】０２９５
【補正方法】変更
【補正の内容】
【０２９５】
脊髄 
脊髄の横断面では、抗ＡＭＩＧＯ染色は白質に点状構造として見られた。パラフィン切片では、ミエリン鞘は溶け出してしまい、ミエリンが位置した場所に円形の穴を残していた。これらの切片では、ＡＭＩＧＯ染色は穴の中心の点に見られる（図２３、パネルａ）。抗ＮＦ−Ｍ抗体もこの点を染色した（図２３、パネルｃ）が、一方、抗ＣＮＰａｓｅはこの構造を染色しなかった（図２３、パネルｂ）。凍結切片では、ＡＭＩＧＯ染色は有髄軸索の中心に局在し、多層ミエリン鞘内には局在しないことが観察された（データは示さない）。全てのＡＭＩＧＯ陽性軸索が有髄であるのか、またはそうでないかは、光学顕微鏡観察の限界のために明らかではない。
【手続補正７】
【補正対象書類名】明細書
【補正対象項目名】０２９７
【補正方法】変更
【補正の内容】
【０２９７】
腎臓、視神経および大腿神経 
腎臓におけるＡＭＩＧＯ染色は、抗ＮＦ−Ｍ染色と共に局在することが分かった。このような染色構造は、自律神経繊維であることが確認された（図２４）。視神経は抗ＡＭＩＧＯ抗体により強く染色されたが、大腿神経は染色されなかった（データは示さない）。
【手続補正８】
【補正対象書類名】明細書
【補正対象項目名】０２９８
【補正方法】変更
【補正の内容】
【０２９８】
胚 
Ｅ１８期のラット胚の頭部では、染色は、内包（図２５、パネルｃ）、視索（図２５、パネルａ）、中小脳脚、視床髄条、反屈束および縦束橋（longitudinal fasciculus pons）の神経繊維および神経繊維路で観察された。ＡＭＩＧＯ陽性染色が抗ＮＦ−Ｍ染色と共に局在したが、Ｅ１８期の胚では、ＣＮＰａｓｅは化学組織染色的手法では検出されなかった（データは示さない）。